(57)【要約】      （修正有）【課題】構造強度が強く、損傷しにくい上に、手回ししやすく、構造簡単で、製作容易で、安価に量産できる浴槽湯口装置のフィルタカバーを提供する。【解決手段】浴槽湯口装置のフィルタカバーにおいてパンチングメタル製孔明き円板１１を中央部に嵌め込み円形トレイ状に一体成形したフィルタカバー本体１０であって胴部１０１の裏面に第１凸部を設け浴槽湯口装置の前面に嵌合できるようにすると共に表面に第２凸部を設けたものと、フィルタカバー本体１０の胴部表面の第２凸部を胴部の長穴２１に嵌入しフィルタカバー本体１０に外嵌し手回しできるようにした外カバー２０とを有する。【選択図】図８
0003141329.tif 000002
【実用新案登録請求の範囲】
【請求項１】
浴槽湯口装置のフィルタカバーにおいて、パンチングメタル製孔明き円板１１を、中央部に嵌め込んで円形トレイ状に一体成形したフィルタカバー本体１０であって、胴部１０１の裏面に第１凸部１２を設け、浴槽湯口装置の前面に嵌合させると共に、表面に第２凸部１３を設けたものと、フィルタカバー本体１０の胴部１０１表面の第２凸部１３を、胴部２０１の長穴２１に嵌入して、フィルタカバー本体１０に外嵌し、手回しできるようにした外カバー２０とを備えたことを特徴とする浴槽湯口装置のフィルタカバー。
【請求項２】
前記パンチングメタル製孔明き円板１１が、厚み０．５〜１．５ミリメートルのステンレス板に、孔径０．８〜１．５ミリメートル、ピッチ１．５〜３．０ミリメートルの貫孔１１０を、千鳥型又は並列型の配置に穿設すると共に、開孔率を３０〜７０％に形成したことを特徴とする請求項１記載の浴槽湯口装置のフィルタカバー。
【考案の詳細な説明】
【技術分野】
【０００１】
本考案は、浴槽湯口装置のフィルタカバーに関するものである。
【背景技術】
【０００２】
従来の浴槽湯口装置のフィルタカバーは、２４メッシュ（線径０．２ミリメートル）程度の金網を、表面に三角形や四角形の穴を多数設けて補強した枠内に嵌め込んだものが多く、そのため、金網の強度が弱く、金網の掃除の際、損傷する恐れがある上に、製作費が高くつく欠点があった。
そこで、本考案者は、厚手のパンチングメタル製の孔明き円板を、中央部に嵌め込んで円形トレイ状に一体成形したフィルタカバー本体に、一体成形した外カバーを外嵌できるようにして問題点を解決した。
【特許文献１】実用新案登録第３０１１２２５号公報
【考案の開示】
【考案が解決しようとする課題】
【０００３】
本考案は、構造強度が強く、損傷しにくい上に、手回ししやすい浴槽湯口装置のフィルタカバーを提供するものである。
また、本考案は、構造簡単で、製作容易で、安価に量産できる浴槽湯口装置のフィルタカバーを提供するものである。
【課題を解決するための手段】
【０００４】
本考案の浴槽湯口装置のフィルタカバーは、上記課題を達成するため、図示するように、請求項１の考案は、浴槽湯口装置のフィルタカバーにおいて、パンチングメタル製孔明き円板１１を、中央部に嵌め込んで円形トレイ状に一体成形したフィルタカバー本体１０であって、胴部１０１の裏面に第１凸部１２を設け、浴槽湯口装置の前面に嵌合させると共に、表面に第２凸部１３を設けたものと、フィルタカバー本体１０の胴部１０１表面の第２凸部１３を、胴部２０１の長穴２１に嵌入し、フィルタカバー本体１０に外嵌して、手回しできるようにした外カバー２０とを備えたものである。
また、本考案の浴槽湯口装置のフィルタカバーは、上記課題を達成するため、図示するように、請求項２の考案は、前記パンチングメタル製孔明き円板１１が、厚み０．５〜１．５ミリメートルのステンレス板に、孔径０．８〜１．５ミリメートル、ピッチ１．５〜３．０ミリメートルの貫孔１１０を、千鳥型又は並列型の配置に穿設すると共に、開孔率を３０〜７０％に形成したものである。
本考案において、パンチングメタル製孔明き円板は、コスト、強度及び濾過能力から板厚、孔径、孔配置が実験的に決められた。
また、本考案において、パンチングメタルの開孔率は、大きい方が望ましいが、濾過速度と構造強度を考慮すれば、３０〜７０％が好ましい。開孔率が３０％以下では濾過速度が劣り、７０％以上では構造強度が弱くなる。
【考案の効果】
【０００５】
本考案の浴槽湯口装置のフィルタカバーは、本体、外カバーいずれも一体成形のため、構造簡単な上に、損傷しにくく、その上、取り付け、取りはずし及び手廻しが簡単にできる。
また、本考案品は量産できるので、安価に製作できる。
【考案を実施するための最良の形態】
【０００６】
本考案の最良の形態が実施例に記載されている。
【実施例】
【０００７】
本考案実施例が図１乃至図８に示されている。
本考案実施例の浴槽湯口装置のフィルタカバーは、フィルタカバー本体１０と、外カバー２０とを備えている。
フィルタカバー本体１０は、図１乃至図３に示すように、厚さ０．５ミリメートルのステンレス板に、孔径１．０ミリメートル、ピッチ１．５ミリメートルの貫孔１１０を、図４に示すように、６０°千鳥型に、または、図５に示すように、角千鳥型に、または、図６に示すように、並列型の配置に穿設したパンチングメタル製の孔明き円板１１を、図３に示すように、中央部に嵌め込んで、合成樹脂で円形トレイ状に一体成形したもので、トレイ胴部１０１の裏面に３個の第１凸部１２を設けると共に、胴部１０１の表面に３個の第２凸部１３を設け、さらに、２個の長孔４を穿設している。
外カバー２０は、図７に示すように、断面Ｌ型で円環状に形成され、胴部２０１に、２個の長穴１と１個の角穴２２を設けて、合成樹脂板又はステンレス板で一体成形されている。
本考案のフィルタカバーを使用する時は、外カバー２０の下部を手前に斜めにして裏側をフィルタカバー本体１０の表面から外嵌し、フィルタカバー本体１０の胴部１０１表面の上位置の第２凸部１３に、外カバー２０の胴部２０１の上の角穴２２を外嵌するようにしたのち、外カバー２０の胴部２０１の下部分を、フィルタカバー本体１０に押しつければ、図８に示すように、外カバー２０の下側の長穴２１が、フィルタカバー本体１０の表面の下位置の第２凸部１３に嵌合して、固定されたのち、合体したフィルタカバーを
浴槽湯口装置の前面に嵌合すればよい。
【産業上の利用可能性】
【０００８】
本考案の浴槽湯口装置のフィルタカバーは、構造簡単で、量産でき、安価に製作できる。
【図面の簡単な説明】
【０００９】
【図１】本考案実施例のフィルタカバー本体の斜視図である。
【図２】図１の背面図である。
【図３】図１のＡ−Ａ線断面を示す説明図である。
【図４】図１の孔明き円板の貫孔の配置例である。
【図５】孔明き円板の貫孔の別の配置例である。
【図６】孔明き円板の別の貫孔のさらに別の配置例である。
【図７】本考案実施例の外カバーの斜視図である。
【図８】本考案実施例のフィルタカバーの使用状態説明図である。
【符号の説明】
【００１０】
１０                  フィルタカバー本体
１０１                フィルタカバー本体の胴部
１１                  孔明き円板
１１０                貫孔
１２                  第１凸部
１３                  第２凸部
２０                  外カバー
２１                  長穴
２０１                外カバーの胴部
【図１】
0003141329.tif 000003
【図２】
0003141329.tif 000004
【図３】
0003141329.tif 000005
【図４】
0003141329.tif 000006
【図５】
0003141329.tif 000007
【図６】
0003141329.tif 000008
【図７】
0003141329.tif 000009
【図８】
0003141329.tif 000010